(57)【要約】【課題】医薬品又は製薬用物品或いは植物の輸送時における状況管理の信頼性を向上する。【解決手段】車両Ｖの荷物室Ｖ１に搭載された医薬品等Ｗの輸送時の品質を管理するシステムであって、車両Ｖの位置データを含む走行データを取得する走行データ取得部１０ａと、荷物室Ｖ１内の温度データ又は荷物室Ｖ１の扉Ｖ２の開閉データを取得するデータ取得部１０ｂ、１０ｃと、走行データと温度データ又は開閉データとを含む運行データを送信する運行データ送信部１０ｆと、運行データ送信部１０ｆを介して取得した運行データを特定のユーザから変更不可能な状態で記録するデータ格納部２０ｃと、を備える。【選択図】図１
2019028965.tif 000002
【特許請求の範囲】
【請求項１】
車両の荷物室に搭載された医薬品又は製薬用物品或いは植物の輸送時の状況を管理するシステムであって、
前記車両の位置データを含む走行データを取得する走行データ取得部と、
前記荷物室内の温度データ又は前記荷物室の扉の開閉データを取得するデータ取得部と、
前記走行データと前記温度データ又は前記開閉データとを含む運行データを送信する運行データ送信部と、
前記データ送信部を介して取得した前記運行データを特定のユーザから変更不可能な状態で格納するデータ格納部と、を備える輸送状況管理システム。
【請求項２】
前記データ格納部は、サーバ装置に設けられており、
前記サーバ装置は、前記運行データを示す帳票を出力する帳票出力部を有する請求項１記載の輸送状況管理システム。
【請求項３】
前記帳票出力部は、前記医薬品又は製薬用物品或いは前記植物の輸送完了時に前記輸送の品質を示す証明書を出力する、請求項２の輸送状況管理システム。
【請求項４】
前記サーバ装置は、所定のイベントが発生した場合に、その旨を示す通知データを、前記サーバ装置にアクセス可能に設けられたクライアント端末装置に送信する通知データ送信部をさらに備える、請求項２又は３記載の輸送状況管理システム。
【請求項５】
前記サーバ装置は、所定のイベントが発生した場合に、前記運行データを、前記サーバ装置にアクセス可能に設けられたクライアント端末装置に送信する運行データ送信部をさらに備える、請求項２、３又は４記載の輸送状況管理システム。
【請求項６】
前記所定のイベントは、前記開閉センサにより扉が開いたことが検出された場合、前記温度センサの検出温度が所定の設定温度を逸脱した場合、前記車両が規定された加速又は減速を超えた急加速又は急減速した場合、又は、前記車両が規定された走行ルートとは別のルートを走行した場合である、請求項４又は５記載の輸送状況管理システム。
【請求項７】
前記サーバ装置と当該サーバ装置にデータ通信可能に接続される外部機器とはセキュア通信を行うものである、請求項２乃至６の何れか一項に記載の輸送状況管理システム。
【請求項８】
前記植物は種苗である、請求項１乃至７の何れか一項に記載の輸送状況管理システム。
【請求項９】
車両の荷物室に搭載された医薬品又は製薬用物品或いは植物の輸送時の状況を管理するシステムに用いられる車載装置であって、
前記車両の位置データを含む走行データを取得する走行データ取得部と、
前記荷物室内の温度データ又は前記荷物室の扉の開閉データを取得するデータ取得部と、
前記走行データと前記温度データ又は前記開閉データとを含む運行データをサーバ装置に送信する運行データ送信部とを備える、車載装置。
【請求項１０】
車両の荷物室に搭載された医薬品又は製薬用物品或いは植物の輸送時の状況を管理するシステムに用いられるサーバ装置であって、
前記車両の位置データを含む走行データを取得する走行データ取得部と、前記荷物室内の温度データ又は前記荷物室の扉の開閉データを取得するデータ取得部と、前記走行データと前記温度データ又は前記開閉データとを含む運行データを送信する運行データ送信部とを備える車載装置とネットワークを介して通信可能に接続されるものであり、
前記運行データ送信部を介して取得した前記運行データを特定のユーザから変更不可能な状態で記録するデータ格納部を備える、サーバ装置。
【請求項１１】
車両の荷物室に搭載された医薬品又は製薬用物品或いは植物の輸送時の状況を管理する方法であって、
前記車両の位置データを含む走行データを取得する走行データ取得部と、前記荷物室内の温度データ又は前記荷物室の扉の開閉データを取得するデータ取得部とを備える車載装置から取得した前記走行データと前記温度データ又は前記開閉データとを含む運行データを特定のユーザから変更不可能な状態で記録する輸送状況管理方法。
【発明の詳細な説明】
【技術分野】
【０００１】
本発明は、医薬品又は製薬用物品或いは植物の輸送時の状況を管理する輸送状況管理システム、車載装置、サーバ装置、及び輸送状況管理方法に関するものである。
【背景技術】
【０００２】
輸送・保管過程における医薬品の品質を確保することを目的とした基準としてＧＤＰ（医薬品の適正流通基準；Good Distribution Practice）がある。このＧＤＰは、輸送時における品質を維持するだけでなく、偽造医薬品の正規の物流ルートへの侵入を防止すること等を目的としている。
【０００３】
ここで、輸送時における医薬品の温度を管理するものとしては、特許文献１に示すように、配送車両の荷物室の温度を検出する温度センサと、前記車両の位置データを受信するＧＰＳ受信装置とを車両に搭載して、温度センサにより得られた温度データ及びＧＰＳ受信装置が受信した位置データをサーバに記録させるものが考えられている。そして、前記サーバにインターネットを介して端末機器がアクセスできるように構成されている。
【０００４】
しかしながら、サーバに記録されている温度データ及び位置データが改ざんされてしまう恐れがあり、医薬品の品質を保証する証拠としての信頼性が十分とは言えない。また、上記のシステムでは、荷物室の温度管理を行うだけであり、偽造医薬品などの不正品が荷物室に搭載されてしまい、正規の物流ルートに侵入することを排除することができない。
【０００５】
なお、種苗などの植物においても、医薬品と同様に、輸送時における品質を確保することが求められており、例えば偽種苗の正規の物流ルートへの侵入を防止したり、例えば開発中の種苗の盗難を防止したりすることが求められている。
【先行技術文献】
【特許文献】
【０００６】
【特許文献１】特開２００９−７０９７号公報
【発明の概要】
【発明が解決しようとする課題】
【０００７】
そこで本発明は、上述した課題を解決すべくなされたものであり、医薬品又は製薬用物品或いは植物の輸送時における状況管理の信頼性を向上することをその主たる課題とするものである。
【課題を解決するための手段】
【０００８】
すなわち本発明に係る輸送状況管理システムは、車両の荷物室に搭載された医薬品又は製薬用物品或いは植物の輸送時の状況を管理するシステムであって、前記車両の位置データを含む走行データを取得する走行データ取得部と、前記荷物室内の温度データ又は前記荷物室の扉の開閉データを取得するデータ取得部と、前記走行データと前記温度データ又は前記開閉データとを含む運行データを送信する運行データ送信部と、前記運行データ送信部を介して取得した前記運行データを特定のユーザから変更不可能な状態で格納する運行データ格納部と、を備えることを特徴とする。
【０００９】
また、本発明に係る輸送状況管理方法は、車両の荷物室に搭載された医薬品又は製薬用物品或いは植物の輸送時の状況を管理する方法であって、前記車両の位置データを含む走行データを取得する走行データ取得部と、前記荷物室内の温度データ又は前記荷物室の扉の開閉データを取得するデータ取得部とを備える車載装置から取得した前記走行データと前記温度データ又は前記開閉データとを含む運行データを特定のユーザから変更不可能な状態で記録することを特徴とする。
【００１０】
このようなものであれば、温度データを取得するものであれば、輸送時の荷物室の温度管理ができる。また、開閉データを取得するものであれば、位置データと扉の開閉データとから扉が開けられた際の車両の位置を特定することができ、扉の開閉が不正に行われたか否かを検証することができる。また、走行データと温度データ又は開閉データとを含む運行データを特定のユーザから変更不可能な状態で記録しているので、特定のユーザによる運行データの改ざんを防止することができ、証拠の信頼性を高めることができる。その結果、医薬品又は製薬用物品或いは植物の輸送時における状況管理の信頼性を向上することができる。
【００１１】
前記データ格納部は、サーバ装置に設けられており、前記サーバ装置は、前記運行データを示す帳票を出力する帳票出力部を有することが望ましい。
この構成であれば、データ格納部をサーバ装置に設けることによってデータの客観性を向上させることができ、サーバ装置が第三者により管理されるものであればより一層客観性を向上させることができる。また、このサーバ装置の帳票出力部によって帳票を出力することによって当該帳票の信頼性を確保することができる。
【００１２】
この輸送状況管理システムによって輸送の品質を証明するためには、前記帳票出力部は、前記医薬品又は製薬用物品或いは植物の輸送完了時に前記輸送の品質を示す証明書を出力することが望ましい。
【００１３】
前記サーバ装置は、所定のイベントが発生した場合に、その旨を示す通知データを、前記サーバ装置にアクセス可能に設けられたクライアント端末装置に送信する通知データ送信部をさらに備えることが望ましい。
クライアント端末装置を輸送業者だけでなく、その顧客である荷主に設置することによって、輸送業者及び荷主の間で、所定のイベントが発生したことを共有することができる。これにより、輸送業者は輸送品質の向上に努めるようになり、荷主は預けた荷物の取り扱いや積荷情報を確認することができる。
【００１４】
また、前記サーバ装置は、所定のイベントが発生した場合に、前記運行データを、前記サーバ装置にアクセス可能に設けられたクライアント端末装置に送信する運行データ送信部をさらに備えることが望ましい。
クライアント端末装置を輸送業者だけでなく、その顧客である荷主に設置することによって、輸送業者及び荷主の間で、所定のイベントが発生した際の運行データを共有することができる。これにより、輸送業者は輸送品質の向上に努めるようになり、荷主は預けた荷物の取り扱いや積荷情報を確認することができる。
【００１５】
前記所定のイベントは、輸送の品質を悪化させ得るイベントであり、例えば前記開閉センサにより扉が開いたことが検出された場合、前記温度センサの検出温度が所定の設定温度を逸脱した場合、前記車両が規定された加速又は減速を超えた急加速又は急減速した場合、又は、前記車両が規定された走行ルートとは別のルートを走行した場合である。具体的には、予め設定された位置とは異なる位置で前記扉が開いたことが検出された場合、又は、予め設定された走行ルートとは異なるルート上で前記扉が開いたことが検出された場合などが挙げられる。
【００１６】
本発明の輸送状況管理システムに好適に用いられる車載装置は、前記車両の位置データを含む走行データを取得する走行データ取得部と、前記荷物室内の温度データ又は前記荷物室の扉の開閉データを取得するデータ取得部と、前記走行データと前記温度データ又は前記開閉データとを含む運行データをサーバ装置に送信する運行データ送信部とを備えることが望ましい。
【００１７】
本発明の輸送状況管理システムに好適に用いられるサーバ装置は、前記車両の位置データを含む走行データを取得する走行データ取得部と、前記荷物室内の温度データ又は前記荷物室の扉の開閉データを取得するデータ取得部と、前記走行データと前記温度データ又は前記開閉データとを含む運行データを送信する運行データ送信部とを備える車載装置とネットワークを介して通信可能に接続されるものであり、前記運行データ送信部を介して取得した前記運行データを特定のユーザから変更不可能な状態で記録するデータ格納部を備えることが望ましい。
【発明の効果】
【００１８】
このように構成した本発明によれば、医薬品又は製薬用物品或いは植物の輸送時における状況管理の信頼性を向上することができる。
【図面の簡単な説明】
【００１９】
【図１】本実施形態に係る輸送状況保証システムの構成を示す模式図である。
【図２】同実施形態に係る車載装置の構成を模式的に示す図である。
【図３】同実施形態に係る車載装置の機能ブロック図である。
【図４】同実施形態のサーバ装置の機能ブロック図である。
【図５】同実施形態の帳票（証明書）の一例を示す図である。
【図６】変形実施形態のサーバ装置の機能ブロック図である。
【図７】変形実施形態の車載装置の機能ブロック図である。
【発明を実施するための形態】
【００２０】
以下、本発明に係る輸送状況管理システムの一実施形態について図面を参照して説明する。
【００２１】
本実施形態の輸送状況管理システム１００は、車両Ｖの荷物室Ｖ１に搭載された医薬品又は製薬用物品（以下、医薬品等Ｗともいう。）の輸送時の品質等の状況を管理するサーバクライアントシステムである。この輸送状況管理システム１００を用いて、医薬品等Ｗの輸送がＧＤＰを満たしているか否かを判断することができる。なお、製薬用物品には、医薬品の原材料や製薬に用いる薬品、器具又は測定機器等が含まれる。
【００２２】
具体的に輸送状況管理システム１００は、図１に示すように、複数の車両Ｖの各々に搭載されて車両Ｖの走行に関する走行データ等を収集するドライビングレコーダ等の車載装置１０と、インターネット等の外部ネットワークＩＮＴを介して、当該複数の車載装置１０とデータ通信可能に接続されるサーバ装置２０と、外部ネットワークＩＮＴを介して、当該サーバ装置２０とデータ通信可能に接続されるクライアント端末装置５０とを備えている。なお、クライアント端末装置５０は、輸送管理システム１００の管理者のコンピュータ、輸送業者の営業所に設置されたコンピュータ、発送場所（例えば工場や営業所）や目的地（例えば工場又は営業所）に設置されたコンピュータ、顧客である荷主の営業所に設置されたコンピュータ等が考えられる。また、クライアント端末装置５０は、サーバ装置２０との間で例えばＶＰＮを備えたセキュア通信によりデータ通信を行う。
【００２３】
車載装置１０は、図２に示すように、検知手段１１、報知手段１２、通信手段１３、及び情報処理手段１４、補助電源１５等とを具備する。車載装置１０は、各手段１１〜１５を単一のケーシングに保持させて構成したものであってもよいし、物理的に分離された複数のケーシングに各手段１１〜１５を分担して保持させて構成したものであってもよい。例えば、車載装置１０を、報知手段１２、通信手段１３、情報処理手段１４及び補助電源１５を有するメインユニットと、検知手段１１を有するセンサユニットとに分離させた構成としてもよい。
【００２４】
検知手段１１は、車両の挙動や周囲状況、操作状況等をセンシングし、その内容を示す走行データを出力するものであり、ここでは、加速度センサ１１ａ及び位置センサ１１ｂの２種類を少なくとも用いている。加速度センサ１１ａは、例えばピエゾ抵抗効果を利用して構成したもので、車両Ｖに作用する１〜３次元（例えば３次元であれば、前後、左右、上下）の加速度をセンシングし、その加速度を示す走行データ（加速度データ）を出力するものである。位置センサ１１ｂは、例えば複数衛星からの電波をキャッチして車両Ｖの位置をセンシングし、その位置を示す位置データを出力するＧＰＳ受信機である。
【００２５】
なお、検知手段１１としては、その他、車両の角加速度を検出するジャイロセンサや、車内又は車外を撮像するＣＣＤカメラやＣＭＯＳカメラなどの撮像手段等が挙げられる。また、車載装置１０は、車両Ｖの車速センサ（図示しない）から送信されてくる車速データや、ドアの開閉を示すドア開閉データ、ブレーキのＯＮ／ＯＦＦを示すブレーキデータ等を受信するためのコネクタＣＮを有している。
【００２６】
報知手段１２は、ケーシングに露出させた発光体であるＬＥＤや、ケーシングに内蔵したブザーやスピーカ等の音声出力体等である。この報知手段１２は、輸送中において、速度超過、急加速、急減速等を検出した場合に運転者に警告を行うものである。これにより、同乗指導と同様の効果を奏することができる。
【００２７】
通信手段１３は、外部ネットワークＩＮＴを介して、前記サーバ装置２０との間で種々のデータを授受するためのものである。具体的には、サーバ装置２０に対して電波により種々のデータを送受信するための無線ＬＡＮ用や携帯電話網用のハードウェアである。このとき、通信手段１３は、サーバ装置２０との間でセキュアな公衆回線またはＶＰＮを備えた通信によりデータ通信を行う。
【００２８】
情報処理手段１４は、物理的には、ＣＰＵ、メモリ（例えば不揮発性メモリなどの内部メモリや、前記ケーシングの開口に抜脱可能なＳＤカードなどの外部メモリ）などを有したいわゆるコンピュータ回路であり、機能的には、前記ＣＰＵが前記メモリの所定領域に格納したプログラムに従って動作することで、図３に示すように、少なくとも走行データ取得部１４ａ、温度データ取得部１４ｂ、開閉データ取得部１４ｃ、データ処理部１４ｄ、運行データ格納部１４ｅ、運行データ送信部１４ｆ等としての機能を有する。なお、温度データ取得部１４ｂと開閉データ取得部１４ｃを共通のデータ取得部としてもよい。
【００２９】
走行データ取得部１４ａは、走行中の種々の走行データ、すなわち加速度データや位置データ等を検知手段１１等から取得するものであり、その取得した走行データをデータ処理部１４ｄに送信する。
【００３０】
温度データ取得部１４ｂは、荷物室Ｖ１内に設けられた温度センサ３０により得られる温度データを取得するものであり、その取得した温度データをデータ処理部１４ｄに送信する。ここで、温度センサ３０は、接触又は非接触で温度を検出するものであり、荷物室Ｖ１に複数設けられてもよい。また、温度センサ３０は、荷物室Ｖ１の内壁又は内部空間の温度を検出するものであってもよいし、医薬品等Ｗの温度又は医薬品等Ｗを梱包する梱包容器（又はその内部）の温度を検出するものであってもよい。例えば管理温度が異なる医薬品等Ｗがある場合には、それぞれに温度センサ３０を設けることが考えられる。なお、温度データ取得部１４ｂと温度センサ３０との温度データのやり取りは有線通信であってもよいし、無線通信であってもよい。
【００３１】
開閉データ取得部１４ｃは、荷物室Ｖ１の扉Ｖ２の開閉を検出する開閉センサ４０により得られる開閉データを取得するものであり、その取得した開閉データをデータ処理部１４ｄに送信する。ここで、開閉センサ４０は、例えばホール素子又は磁気抵抗素子を用いた磁気センサである。また、開閉センサ４０は、医薬品等Ｗを梱包する複数の梱包容器（例えば蓋を有する箱）それぞれに設けられて各梱包容器の開閉を検出するものであってもよい。なお、開閉データ取得部１４ｃと開閉センサ４０とのデータのやり取りは有線通信であってもよいし、無線通信であってもよい。
【００３２】
これらのデータを取得したデータ処理部１４ｄは、取得した走行データ、温度データ及び開閉データを同期させて運行データとして運行データ格納部１４ｅに格納するとともに運行データ送信部１４ｆに出力する。そして運行データ送信部１４ｆは、その運行データを通信手段１３を介してサーバ装置２０に送信する。
【００３３】
運行データ送信部１４ｆによるサーバ装置２０への運行データの送信はリアルタイムであってもよいし、所定のタイミングであってもよい。所定のタイミングとしては、例えば、（１）開閉センサ４０により扉Ｖ２が開いたことが検出された場合、（２）温度センサ３０の検出温度が所定の設定温度を逸脱した場合、（３）車両Ｖが規定された加速又は減速を超えた急加速又は急減速した場合、（４）車両Ｖが規定された走行ルートとは別のルートを走行した場合、（５）車両Ｖが停止した場合等が挙げられる。その他、所定の周期で送信してもよいし、車両が停止した場合やイグニションキーのオン又はオフのタイミングで送信してもよい。
【００３４】
サーバ装置２０は、ＣＰＵ、メモリ、入出力インターフェイス等を備えた汎用乃至専用のコンピュータである。サーバ装置２０は、そのメモリに記憶させた所定のプログラムに従って動作することによって、図４に示すように、少なくとも運行データ受信部２０ａ、データ管理部２０ｂ、運行データ格納部２０ｃ、帳票出力部２０ｄ、通知データ送信部２０ｅ、ユーザデータ管理部２０ｆ等としての機能を発揮するように構成されている。
【００３５】
運行データ受信部２０ａは、車載装置１０から送信される走行データ、温度データ及び開閉データを含む運行データをインターネットＩＮＴを介して受信するとともにデータ管理部２０ｂに送信する。そして、データ管理部２０ｂは、運行データを運行データ格納部２０ｃに格納する。
【００３６】
ここで、運行データ格納部２０ｃは、特定のユーザから運行データを変更不可能な状態で記録する。変更不可能な可能で記録する方式としては、運行データ格納部２０ｃに読み取り専用の形式で格納することの他、運行データを暗号化して運行データ格納部２０ｃに格納すること、データ管理部２０ｂにおいて外部からのデータ変更要求を排除することなど、通常の改ざん防止技術を用いることができる。また、ユーザによって権限を制限することも考えられる。システム管理者は運行データの閲覧だけでなく運行データの変更等の管理を行うことができるようにし、輸送業者や荷主などのシステム利用者については運行データの閲覧のみの権限が与えられることが考えられる。なお、管理者さえも運行データを変更不可能にしてもよい。これらのユーザの権限の管理変更等は、ユーザデータ管理部２０ｆによって行われる。
【００３７】
帳票出力部２０ｄは、医薬品等Ｗの輸送結果を証明するための証明書を発行するものであり、当該証明書には、積荷情報等の基本情報に加えて、発送場所から目的地（到着場所）までの運行データが示す情報、又はこの運行データが示す情報から定められる品質情報等が記載されている。その他、医薬品等Ｗが輸送される目的地（到着場所）の温度データ等の受け入れ状況データを取得して、当該受け入れ状況データも証明書の情報として出力することができる。例えば、帳票出力部２０ｄは、図５に示すような証明書を発行する。ここで、証明書等の閲覧範囲は、ユーザによって異なるように構成してもよい。例えば、一部のユーザ（例えば輸送業者）は、証明書の全範囲を見ることができ、その他の一部のユーザ（例えば荷主）は、証明書の一部（例えば基本情報等）を見ることができる。なお、これらの閲覧範囲はユーザデータ管理部２０ｆにより管理されており、また、当該範囲は設定変更可能である。
【００３８】
通知データ送信部２０ｅは、所定のイベントが発生した場合に、当該イベントが発生したことを示す通知データをクライアント端末装置５０にリアルタイムに送信する。また、通知データ送信部２０ｅは、前記所定のイベントが発生した場合に、当該イベントが発生したことを示す通知データをクライアント端末装置５０とは別に予め登録されたメールアドレスにリアルタイムに送信することもできる。その他、通知データ送信部２０ｅは、積荷の出発、到着の情報等もリアルタイムに送信する。
【００３９】
ここで、所定のイベントとは、輸送の品質を悪化させ得るイベントであり、（１）開閉センサ４０により扉Ｖ２が開いたことが検出された場合、（２）温度センサ３０の検出温度が所定の設定温度を逸脱した場合、（３）車両Ｖが規定された加速又は減速を超えた急加速又は急減速した場合、（４）車両Ｖが規定された走行ルートとは別のルートを走行した場合等である。
【００４０】
特に（１）、（４）に関して言うと、（ａ）予め設定された位置とは異なる位置で扉Ｖ２が開いたことが検出された場合、又は、（ｂ）予め設定された走行ルートとは異なるルート上で扉Ｖ２が開いたことが検出された場合などが挙げられる。前記（ａ）の場合には、サーバ装置２０は、扉の開閉が許される予め設定された位置を示す設定位置データを受け付ける設定位置データ受付部を有しており、データ管理部２０ｂが、位置データ及び開閉データを用いて、予め設定された位置とは異なる位置で扉Ｖ２が開いたことを検出する。また、前記（ｂ）の場合には、サーバ装置２０は、車両Ｖの予め設定された走行ルートを示す設定ルートデータを受け付ける設定ルートデータ受付部を有しており、データ管理部２０ｂが、位置データ及び開閉データを用いて、予め設定された走行ルートとは異なるルート上で扉Ｖ２が開いたことを検出する。
【００４１】
このサーバ装置２０にクライアント端末装置５０からアクセスすることによって前記帳票出力部２０ｄにより発行された証明書を閲覧又は出力（印刷）することができる。また、サーバ装置２０では、運行データに加えて、積荷情報を示す積荷データ、運転者情報を示す運転者データ等が一元管理及び自動解析されており、前記クライアント端末装置５０からこれらのデータを閲覧又は出力（印刷）することもできる。このクライアント端末装置５０が荷主のものであれば、荷主は運行データ等にアクセスして当該運行データを閲覧することができるので、リアルタイムに積荷情報や運行情報等の輸送状況を確認することができる。
【００４２】
＜本実施形態の効果＞
このように構成された本実施形態に輸送状況管理システム１００によれば、輸送時の荷物室Ｖ１の温度管理ができるだけでなく、位置データと扉Ｖ２の開閉データとから扉Ｖ２が開けられた際の車両Ｖの位置を特定することができ、扉Ｖ２の開閉が不正に行われたか否かを検証することができる。また、走行データ、温度データ及び開閉データを含む運行データを特定のユーザ（例えば輸送業者や荷主などのシステム利用者）から変更不可能な状態で記録しているので、当該特定のユーザによる運行データの改ざんを防止することができ、証拠（例えば証明書）の信頼性を高めることができる。その結果、医薬品又は製薬用物品の輸送時における品質管理の信頼性を向上することができる。
【００４３】
＜その他の実施形態＞
なお、本発明は前記実施形態に限られるものではない。
例えば、サーバ装置２０は、図６に示すように、所定のイベントが発生した場合に、当該イベントが発生した時又はその前後所定期間の運行データをクライアント端末装置５０に送信する運行データ送信部２０ｆを備えるものであってもよい。また、運行データ送信部２０ｆは、前記所定のイベントが発生した場合に、当該イベントが発生した時又はその前後所定期間の運行データをクライアント端末装置５０とは別に予め登録されたメールアドレスに送信することもできる。
【００４４】
また、荷物室Ｖ１の内部を撮像するＣＣＤカメラやＣＭＯＳカメラなどの撮像手段を設けておき、車載装置１０が当該撮像手段から荷物室Ｖ１の内部画像を取得するものであってもよい。この場合、車載装置１０は、常時荷物室Ｖ１の内部画像を取得するものであってもよいし、前記実施形態の所定のイベント発生時に荷物室Ｖ１の内部画像を取得するものであってもよい。この荷物室Ｖ１の内部画像データも、走行データ、温度データ及び開閉データとともにサーバ装置２０に送信される。
【００４５】
前記実施形態では、温度データ及び開閉データを取得するデータ取得部（温度データ取得部及び開閉データ取得部）を有するものであったが、温度データ又は開閉データの何れか一方を取得するものであってもよい。この場合、輸送状況管理システムは、当該何れか一方のデータと走行データとを含む運行データを用いて輸送の状況を管理する。
【００４６】
また本発明は、車両Ｖの荷物室Ｖ１に搭載された医薬品等Ｗの輸送時の品質等の状況を管理するシステムに限られず、車両Ｖの荷物室Ｖ１に搭載された種苗、生花、成木などの植物全般（以下、植物と記す）の輸送時の品質等の状況を管理するシステムに適用することができる。
【００４７】
この輸送状況管理システム１００は、種苗などの植物の輸送時において例えば偽種苗の混入防止や開発中の種苗の盗難防止等を管理するものであり、前記実施形態の構成に加えて、図７に示すように、荷物室Ｖ１内の湿度を検出する湿度センサ６０を備えており、車載装置１０の情報処理手段１４は湿度センサ６０から湿度データを取得する湿度データ取得部１４ｇを有している。ここで、湿度センサ６０は、例えば静電容量式のものであり、荷物室Ｖ１に複数設けられてもよい。また、湿度センサ６０は、種苗を梱包する梱包容器の内部の湿度を検出するものであってもよい。なお、湿度データ取得部１４ｇと湿度センサ６０との湿度データのやり取りは有線通信であってもよいし、無線通信であってもよい。このシステム１００は、湿度センサ６０に加えて或いは湿度センサ６０に代えて露点センサを備え、当該露点センサから露点温度データを取得するものであってもよい。
【００４８】
また、情報処理手段１４のデータ処理部１４ｄは、温度データ取得部１４ｂが取得した温度データと、湿度データ取得部１４ｇが取得した湿度データとから露点温度を算出する。データ処理部１４ｄは、湿度データに加えて、この露点温度データも運行データに含めることができる。また、データ処理部１４ｄは、前記露点温度から荷物室Ｖ１内の結露の有無を判断してその結果を示す結露データを生成し、この結露データも運行データに含めることができる。
【００４９】
さらに、この輸送状況管理システムは、種苗が輸送される目的地（到着場所）の温度データ等の受け入れ状況データを取得して、当該受け入れ状況データも証明書の情報として出力することができる。また、目的地の温度データを含む天気予報データを取得し、証明書の情報として出力してもよい。
【００５０】
種を輸送する場合には、発芽に適した温度及び水分などの条件を満たしてしまうと種が発芽してしまうので、種が発芽しないように適切な温度及び湿度の管理が必要となる。上記の輸送状況管理システムによれば、温度データ及び湿度データを用いて、種が発芽しないように適切な温度及び湿度の管理を行うことができるので、種が確実に発芽しない条件で輸送することができる。また、苗を輸送する場合には、適切に温度及び水分などの条件を管理しなければ、苗が枯れてしまったり必要以上に成長してしまう恐れがあるが、上記の輸送状況管理システムによれば、温度データ及び湿度データを用いて、苗が枯れたり必要以上に成長しないように適切な温度及び湿度の管理を行うことができる。
【００５１】
その他、本発明は前記実施形態に限られず、その趣旨を逸脱しない範囲で種々の変形が可能であるのは言うまでもない。
【符号の説明】
【００５２】
１００・・・輸送状況管理システム
Ｗ    ・・・医薬品又は製薬用物品
Ｖ    ・・・車両
Ｖ１  ・・・荷物室
Ｖ２  ・・・扉
１０  ・・・車載装置（ドライビングレコーダ）
１４ａ・・・走行データ取得部
１４ｂ・・・温度データ取得部（データ取得部）
１４ｃ・・・開閉データ取得部（データ取得部）
１４ｆ・・・運行データ送信部
２０  ・・・サーバ装置
２０ｂ・・・データ管理部
２０ｃ・・・運行データ格納部
２０ｄ・・・帳票出力部
２０ｅ・・・通知データ送信部
２０ｆ・・・運行データ送信部
【図１】
2019028965.tif 000003
【図２】
2019028965.tif 000004
【図３】
2019028965.tif 000005
【図４】
2019028965.tif 000006
【図５】
2019028965.tif 000007
【図６】
2019028965.tif 000008
【図７】
2019028965.tif 000009